(57)【要約】      （修正有）【課題】壁面の無い場所であっても見栄え良く配置することができる陳列装置を提供する。【解決手段】各収容部本体２１，２２を八角柱状に形成し、各収容部本体２１，２２の外周面に、陳列物を立てた状態で収容する前方開口状の各収容室１０３，１１２を周方向に配列する。各収容部本体２１，２２を挿通する支持軸２３で各収容部本体２１，２２を回転自在に支持する。下段収容部本体２１に上段収容部本体２２を重ねて配置し、各収容部本体２１，２２を独立して回転可能とする。各収容部本体２１，２２の周方向に配置された隣接する収容室１０３，１１２の奥行きを異なる寸法に設定し、奥行寸法が大きな奥深収容室１０３と奥行寸法が小さな奥浅収容室１１２とを周方向で交互に配置する。【選択図】図１
0003143647.tif 000002
【実用新案登録請求の範囲】
【請求項１】
陳列物を立てた状態で収容する前方開口状の収容室が収容部本体に設けられた陳列装置において、
前記収容部本体を柱状に形成し、当該収容部本体の外周面に複数の前記収容室を周方向に配列したことを特徴とする陳列装置。
【請求項２】
前記収容部本体を挿通する支持軸によって前記収容部本体を回転自在に支持したことを特徴とする請求項１記載の陳列装置。
【請求項３】
複数の前記収容部本体を重ねた状態で配置するとともに前記各収容部本体を独立して回転可能な状態で前記支持軸に支持したことを特徴とする請求項２記載の陳列装置。
【請求項４】
前記収容部本体の前記周方向に配置された隣接する収容室の奥行きを異なる寸法に設定し、奥行寸法が大きな収容室と奥行寸法が小さな収容室とを前記周方向で交互に配置したことを特徴とする請求項１、２又は３記載の陳列装置。
【請求項５】
前記収容室の前方開口部に前記陳列物の飛び出しを防止する前壁を設けるとともに、前記収容室に収容された前記陳列物を前記前壁へ向けて付勢する付勢部材を設けたことを特徴とする請求項１から４にいずれか記載の陳列装置。
【考案の詳細な説明】
【技術分野】
【０００１】
本考案は、陳列物を陳列する陳列装置に関する。
【背景技術】
【０００２】
従来、種や球根などを販売する際には、表面に種類などが印刷された長方形の袋体に収容するとともに、これらの袋体を陳列装置に配置して販売していた（例えば、特許文献１参照。）。
【０００３】
この陳列装置の収容部本体は、前面が開口した矩形容器状に形成されており、その内部は、縦仕切及び横仕切によって仕切られている。
【０００４】
これにより、前記収容部本体は、前方開口状の収容室が複数形成されており、複数の陳列物を陳列できるように構成されている。
【特許文献１】特開２００４−０７３４５３号公報
【考案の開示】
【考案が解決しようとする課題】
【０００５】
しかしながら、このような陳列装置にあっては、背面に陳列物を陳列できないので、当該陳列装置を売り場に配置する際には、その背面を壁面に沿って配置せざるを得なかった。
【０００６】
このため、配置場所が限られるという問題があった。
【０００７】
本考案は、このような従来の課題に鑑みてなされたものであり、壁面の無い場所であっても見栄え良く配置することができる陳列装置を提供することを目的とするものである。
【課題を解決するための手段】
【０００８】
前記課題を解決するために本考案の請求項１記載の陳列装置にあっては、陳列物を立てた状態で収容する前方開口状の収容室が収容部本体に設けられた陳列装置において、前記収容部本体を柱状に形成し、当該収容部本体の外周面に複数の前記収容室を周方向に配列した。
【０００９】
すなわち、収容室を備えた収容部本体は、柱状に形成されており、当該収容部本体の外周面には、前記収容室が周方向に沿って複数配列されている。
【００１０】
このため、前記陳列物を前記収容部本体の外周面に沿って配置することができ、背面に陳列物を配置することができなかった平面タイプの陳列装置と比較して、横幅を広げることなく、より多くの種類の陳列物が陳列される。
【００１１】
また、前記収容部本体の外周面に沿って前記陳列物を陳列することで、陳列物が存在しない背面の形成が防止される。
【００１２】
また、請求項２の陳列装置においては、前記収容部本体を挿通する支持軸によって前記収容部本体を回転自在に支持した。
【００１３】
すなわち、外周面に沿って陳列物が陳列された前記収容部本体は、支持軸によって回転自在に支持されている。
【００１４】
このため、当該装置本体を壁面に近接して配置した場合であっても、前記収容部本体が回動されることによって、前記壁面側に配置された陳列物が手前側に移動される。
【００１５】
さらに、請求項３の陳列装置では、複数の前記収容部本体を重ねた状態で配置するとともに前記各収容部本体を独立して回転可能な状態で前記支持軸に支持した。
【００１６】
すなわち、重ねて配置された上下の収容部本体は、独立して回転できるように構成されており、上部に配置された収容部本体と下部に配置された収容部本体とを異なる角度に回動することができる。
【００１７】
これにより、上部に配置された収容部本体の陳列物の向きと、下部に配置された収容部本体の陳列物の向きとが、状況に応じて個別に設定される。
【００１８】
加えて、請求項４の陳列装置にあっては、前記収容部本体の前記周方向に配置された隣接する収容室の奥行きを異なる寸法に設定し、奥行寸法が大きな収容室と奥行寸法が小さな収容室とを前記周方向で交互に配置した。
【００１９】
すなわち、前記収容室を区画する側壁は、所定の間隔をおいて当該収容部本体の中心方向へ向けて平行に延在するが、隣接した収容室の側壁は、中心部へ向かうに従って近接し、干渉することとなる。
【００２０】
このとき、前記収容部本体の周方向に配列された各収容室は、奥行寸法が大きな収容室と、奥行寸法が小さな収容室とが交互に配置されており、総ての収容室において、隣接した収容室の側壁が干渉する位置に奥壁を形成する場合と比較して、収容部本体全体としての陳列物の収容量が高められる。
【００２１】
そして、前記収容部本体の周方向に配列された各収容室は、奥行寸法が大きな収容室と、奥行寸法が小さな収容室とが交互に配置されている。このため、厚みのある陳列物を、奥行寸法が大きな収容室に収容したり、売れ行きの良い陳列物を、奥行寸法が大きな収容室に収容する等、陳列物の選択的配置が可能となる。
【００２２】
また、請求項５の陳列装置においては、前記収容室の前方開口部に前記陳列物の飛び出しを防止する前壁を設けるとともに、前記収容室に収容された前記陳列物を前記前壁へ向けて付勢する付勢部材を設けた。
【００２３】
すなわち、前記収容室の前方開口部には、前記陳列物の飛び出しを防止する前壁が設けられており、前記収容室に収容された前記陳列物は、付勢部材によって前記前壁へ向けて付勢される。
【００２４】
このため、前記収容室から陳列物が取り出され、当該収容室に収容された手前側の陳列物が減少した際には、前記付勢部材によって奥側に収容された陳列物が前記前壁へ向けて付勢され、手前側に移動される。
【考案の効果】
【００２５】
以上説明したように、本考案の請求項１記載の陳列装置にあっては、前記陳列物を前記収容部本体の外周面に沿って配置することができる。
【００２６】
このため、背面に陳列物を配置することができなかった平面タイプの陳列装置と比較して、横幅を広げることなく、より多くの種類の陳列物を陳列することができる。これにより、コンパクト化による設置場所の省スペース化を図りつつ、より多くの陳列物の陳列が可能となる。
【００２７】
また、前記収容部本体の外周面に沿って前記陳列物を陳列することで、陳列物が存在しない背面を無くすことができる。
【００２８】
このため、陳列物が陳列されない背面が存在する平面タイプの陳列装置のように、その背面を壁面に沿って配置しなければならないといった制約が無くなり、売り場でのレイアウト上の自由度を高めることができる。
【００２９】
このとき、前記収容部本体には、その周面に沿って陳列物が配置されている。このため、当該陳列装置を、売り場の中心部に配置した場合であっても、前述した平面タイプの陳列装置のように陳列物が配置されない背面が露出するといった状態を防止することができる。これにより、陳列物を見栄え良く配置することができ、外観品質を高めることができる。
【００３０】
また、請求項２の陳列装置においては、外周面に沿って陳列物が陳列された前記収容部本体は、支持軸によって回転自在に支持されており、当該収容部本体を回転することができる。
【００３１】
このため、当該装置本体を壁面に近接して配置した場合であっても、前記収容部本体を回動することによって、前記壁面側に配置された陳列物を手前側へ移動することができる。このため、当該陳列装置を、不具合を生ずること無く、壁面に近接して配置することもできる。
【００３２】
さらに、請求項３の陳列装置では、重ねて配置された上下の収容部本体は、独立して回転できるように構成されており、上部に配置された収容部本体と下部に配置された収容部本体とを異なる角度に回動することができる。
【００３３】
これにより、状況に応じて、上部に配置された収容部本体の陳列物の向きと、下部に配置された収容部本体の陳列物の向きとを、異なる方向に個別に設定することができる。
【００３４】
加えて、請求項４の陳列装置にあっては、奥行寸法が大きな収容室と、奥行寸法が小さな収容室とを、収容部本体の周方向に交互に配置することによって、総ての収容室において、隣接した収容室の側壁が干渉する位置に奥壁を形成する場合と比較して、収容部本体全体としての陳列物の収容量を高めることができる。
【００３５】
そして、前記収容部本体の周方向に配列された各収容室は、奥行寸法が大きな収容室と、奥行寸法が小さな収容室とが交互に配置されている。
【００３６】
このため、厚みのある陳列物を、奥行寸法が大きな収容室に収容する一方、厚みの無い陳列物を、奥行寸法が小さな収容室に収容することで、厚みのある陳列物と厚みの無い陳列物とを、均等に陳列することができる。
【００３７】
また、売れ行きの良い陳列物やシーズンの陳列物を、奥行寸法が大きな収容室に収容することで、品切れや品薄状態を未然に防止することができる。
【００３８】
また、請求項５の陳列装置においては、前記収容室の前方開口部に陳列物の飛び出しを防止する前壁を設けるとともに、前記収容室に収容された陳列物を付勢部材で前記前壁へ向けて付勢することによって、前記収容室から陳列物が取り出され、収容室手前側の陳列物が減少した際には、前記付勢部材によって奥側に収容された陳列物を手前側に移動することができる。
【００３９】
これにより、陳列物の取り出し容易性を高めるとともに、整然とした陳列状態を維持することができる。
【考案を実施するための最良の形態】
【００４０】
以下、本考案の一実施の形態を図に従って説明する。
【００４１】
図１及び図２は、本実施の形態にかかる陳列装置１を示す図であり、図１には斜視図が、図２には正面図が示されている。
【００４２】
この陳列装置１は、野菜や花などの種や球根を販売する際に売り場で用いられるもので、図３にも示すように、複数の陳列物２を収容した状態で陳列できるように構成されている。
【００４３】
前記陳列物２は、前記種や球根等の収容物１１，・・・と、これらを収容した長方形状の袋体１２とからなり、該袋体１２の前面１３には、収容物１１の種類や写真などが印刷され、収容物１１が分かるように構成されている。この陳列物２は、前記前面１３が見えるように立てた状態で陳列する必要があり、当該陳列装置１では、前記前面１３の印刷が見えるように前記陳列物２を立てた状態で陳列できるように構成されている。
【００４４】
すなわち、前記陳列装置１は、図１及び図２に示したように、下部に配置された下段収容部本体２１と、該下段収容部本体２１の上部に配置された上段収容部本体２２と、両収容部本体２１，２２の中心部を上下に貫通した円筒パイプ状の支持軸２３と、該支持軸２３の下端部に設けられたスタンド２４とによって構成されている。前記上段収容部本体２２より上方に突出した前記支持軸２３には、抜け止め２５が固定されており、前記上段収容本体２２の不用意な上方への抜けが防止されている。
【００４５】
前記スタンド２４からは、複数の脚部３１，・・・が外方へ向けて延出しており、設置時の安定性が高められている。このスタンド２４には、図２中破線で示したように、前記各脚部３１，・・・の先端にキャスター３２，・・・を設けることができ、これによって当該陳列装置１の移動を容易とすることができる。
【００４６】
前記両収容部本体２１，２２は、同形状に形成されており、柱状である八角柱状に形成されている。各収容部本体２１，２２は、底面を構成する八角形状の底板４１と、天面を構成する八角形状の天板４２とを備えており、前記底板４１と前記天板４２とは、離間して配置されている。
【００４７】
前記天板４２と前記底板４１との間には、図３に示したように、平行に配置された対を成す第一長対板５１，５１と第二長対板５２，５２とが対向する辺間に延設されており、両長対板５１，５１，５２，５２は、中心部で直交するように構成されている。この交差部には、正方形の補強板５３が設けられており、該補強板５３には、前記支持軸２３を回動自在に挿通する挿通穴５４が開設されている。
【００４８】
これにより、前記両収容部本体２１，２２は、前記支持軸２３に回転自在に支持されており、各収容部本体２１，２２は、上下に重ねられた状態で配置されるとともに、前記各収容部本体２１，２２を、それぞれ独立して回転できるように構成されている。
【００４９】
また、前記第一長対板５１，５１間には、平行に延在した両第一長対板５１，５１によって側壁６１，６１が構成されるとともに、前記第二長対板５２，５２の一部によって奥壁６２が構成された矩形状の収容空間が形成されており、前記第二長対板５２，５２間には、平行に延在した両第二長対板５２，５２によって側壁６３，６３が構成されるとともに、前記第一長対板５１，５１の一部によって奥壁６４が構成された矩形状の収容空間が形成されている。
【００５０】
前記第一長対板５１，５１と前記第二長対板５２，５２との間には、略三角形状の三角空間７１，・・・が四ヶ所に残存しており、各三角空間７１，・・・には、平行に配置された対を成す短対板７２，７２が前記天板４２及び底板４１の一辺７３，・・・の端部より内側へ向けて延設されている。前記各短対板７２，７２の奥端は、前記第一長対板５１，５１又は前記第二長対板５２，５２に当接した状態で固定されており、各長対板５１，５１，５２，５２への当接した前記各短対板７２，７２の先端は、対応する辺７３に平行した平行板７４によって連設されている。
【００５１】
これにより、前記各三角空間７１，・・・内には、前記各短対板７２，７２によって側壁８１，８１が構成されるとともに、前記平行板７４によって奥壁８２が構成された矩形状の収容空間が形成されている。
【００５２】
そして、前記各短対板７２，・・・の前縁と隣接する前記各長対板５１，５１，５２，５２の端縁とは、閉鎖板９１，・・・で連設されており、各閉鎖板９１，・・・によって前記各短対板７２，・・・と前記各長対板５１，５１，５２，５２との間に形成された空間が閉鎖されている。
【００５３】
また、前記両収容部本体２１，２２の前記天板４２と前記底板４１との間には、図１及び図２に示したように、八角形状の仕切板１０１，・・・が等間隔を置いて三箇所に設けられており、各仕切板１０１，・・・の上部及び下部には、図３に示したように、前記両第一長対板５１，５１で側壁６１，６１が形成されるとともに前記第二長対板５２，５２の一部で奥壁６２が形成された奥行寸法１０２が大きな奥深収容室１０３が四ヶ所に形成されている。各奥深収容部１０３，・・・の前方開口部１０４の開口縁部は、図１及び図２に示したように、無色透明のアクリル板によって下部が覆われており、当該奥深収容部１０３，・・・に収容された前記陳列物２，・・・の前記前方開口部１０４からの飛び出しを防止する前壁１０５が設けられている。
【００５４】
また、前記各奥深収容部１０３，・・・の間には、図３に示したように、前記各短対板７２，・・・で側壁８１，８１が形成されるとともに前記平行板７４で奥壁８２が形成された奥行寸法１１１が小さな奥浅収容室１１２が四ヶ所に形成されている。
【００５５】
これにより、八角柱状に形成された前記各収容部本体２１，２２には、その外周面に複数の前記各収容室１０３，・・・、１１２，・・・が周方向１２１に配列されており、この周方向１２１に配置された隣接する収容室１０３，・・・、１１２，・・・の奥行きは異なる寸法に設定され、奥行寸法１０２が大きな前記奥深収容室１０３と奥行寸法１１１が小さな奥浅収容室１１２とが前記周方向１２１で交互に配置されている。
【００５６】
前記各奥浅収容部１１２，・・・の前方開口部１３１の開口縁部も、図１及び図２に示したように、無色透明のアクリル板によって下部が覆われており、当該奥浅収容部１１２，・・・に収容された前記陳列物２，・・・の前記前方開口部１３１，・・・からの飛び出しを防止する前壁１３２が設けられている。
【００５７】
前記各収容部１０３，・・・、１１２，・・・は、前記陳列物２，・・・を立てた状態で収容できる幅寸法及び高さ寸法に設定されており、各収容部１０３，・・・、１１２，・・・の奥行寸法１０３，１１１は、複数の陳列物２，・・・を収容できる大きさに設定されている。
【００５８】
そして、前記各奥深収容室１０３，・・・には、図３に示したように、収容された前記陳列物２，・・・を前記前壁１０５へ向けて付勢する大型付勢部材２０１が設けられており、前記奥浅収容室１０３，・・・には、収容された前記陳列物２，・・・を前記前壁１０５へ向けて付勢する小型付勢部材２０２が設けられている。
【００５９】
前記大型付勢部材２０１は、図４中の上段に示すように、前記奥深収容部１０３に立てた状態で収容できる大きさの長方形状の押板２１１と、該押板２１１の裏面に設けられたコイルスプリング２１２によって構成されており、当該大型付勢部材２０１のコイルスプリング２１２の先端を前記奥深収容室１０３の奥壁６２に当接した状態で前記押板２１１の前側に配置された前記陳列物２，・・・を前記前壁１０５へ向けて付勢できるように構成されている。このとき、前記コイルスプリング２１２が伸縮することによって、前記押板２１１手前に複数の前記陳列物２，・・・を収容できるように構成されている。
【００６０】
前記小型付勢部材２０２は、図４中の下段に示すように、弾性を有した無色透明のアクリル板によって構成されており、前記奥浅収容部１１２に収容された状態で前方開口部１３１側に位置する長方形状の押圧面部２２１と、前記奥壁８２に当接する長方形状の当接面部２２２とを備えている。該当接面部２２２と前記押圧面部２２１との間には、折返し部２２３が形成されており、当該小型付勢部材２０２には、弾性が付与されている。
【００６１】
これにより、前記小型付勢部材２０２の前記当接面部２２２を前記奥壁８２に当接して当該小型付勢部材２０２を弾性変形した状態で、前記押圧面部２２１によって当該押圧面部２２１の前側に配置された前記陳列物２，・・・を前記前壁１３２へ向けて付勢できるように構成されている。このとき、当該小型付勢部材２０２が弾性変形することによって、前記押圧面部２２１の手前に複数の前記陳列物２，・・・を収容できるように構成されている。
【００６２】
以上の構成にかかる本実施の形態において、前記各収容室１０３，・・・、１１２，・・・を備えた前記各収容部本体２１，２２は、八角柱状に形成されており、各収容部本体２１，２２の外周面には、前記各収容室１０３，・・・、１１２，・・・が周方向１２１に沿って複数配列されている。
【００６３】
このため、前記陳列物２，・・・を前記収容部本体２１，２２の外周面に沿って配置することができ、背面に陳列物を配置することができなかった平面タイプの陳列装置と比較して、横幅を広げることなく、より多くの種類の陳列物２，・・・を陳列することができる。
【００６４】
これにより、コンパクト化による設置場所の省スペース化を図りつつ、より多くの陳列物２，・・・の陳列が可能となる。
【００６５】
また、前記収容部本体２１，２２の外周面に沿って前記陳列物２，・・・を陳列することで、陳列物２，・・・が存在しない背面を無くすことができる。
【００６６】
このため、陳列物が陳列されない背面が存在する平面タイプの陳列装置のように、その背面を壁面に沿って配置しなければならないといった制約が無くなり、売り場でのレイアウト上の自由度を高めることができる。
【００６７】
このとき、前記各収容部本体２１，２２には、その周面に沿って陳列物２，・・・が配置されている。このため、当該陳列装置１を、売り場の中心部に配置した場合であっても、前述した平面タイプの陳列装置のように陳列物が配置されない背面が露出するといった状態を防止することができる。これにより、陳列物２，・・・を見栄え良く配置することができ、外観品質を高めることができる。
【００６８】
また、外周面に沿って前記陳列物２，・・・が陳列された前記各収容部本体２１，２２は、支持軸２３によって回転自在に支持されており、当該収容部本体２１，２２を回転することができる。
【００６９】
このため、当該陳列装置１を売り場の壁面に近接して配置した場合であっても、前記各収容部本体２１，２２を回動することによって、前記壁面側に配置された陳列物２を手前側へ移動することができる。これにより、当該陳列装置１を、不具合を生ずること無く、壁面に近接して配置することもできる。
【００７０】
さらに、重ねて配置された上下の前記収容部本体２１，２２は、独立して回転できるように構成されており、上部に配置された上段収容部本体２２と下部に配置された下段収容部本体２１とを異なる角度に回動することができる。
【００７１】
これにより、状況に応じて、上段収容部本体２２の陳列物２の向きと、下段収容部本体２１の陳列物２の向きとを、異なる方向に個別に設定することができる。
【００７２】
一方、前記各収容室１０３，・・・、１１２，・・・を区画する側壁６１，６１、８１，８１は、所定の間隔をおいて各収容部本体２１，２２の中心方向へ向けて平行に延在するが、隣接した収容室１０３，１１２の側壁６１，６１、８１，８１は、中心部へ向かうに従って近接し、干渉することとなる。
【００７３】
このとき、前記各収容部本体２１，２２の周方向１２１に配列された各収容室１０３，・・・、１１２，・・・は、奥行寸法１０２が大きな奥深収容室１０３と、奥行寸法１１１が小さな奥浅収容室１１２とが交互に配置されており、総ての収容室１０３，・・・、１１２，・・・において、隣接した収容室１０３，１１２の側壁６１，６１、８１，８１が干渉する位置に奥壁６２，８２を形成する場合と比較して、各収容部本体２１，２２全体としての陳列物２，・・・の収容量を高めることができる。
【００７４】
そして、前記各収容部本体２１，２２の周方向１２１に配列された各収容室１０３，・・・、１１２，・・・は、奥行寸法１０２が大きな奥深収容室１０３と、奥行寸法１１１が小さな奥浅収容室１１２とが交互に配置されている。
【００７５】
このため、厚みのある陳列物２，・・・を、奥深収容室１０３に収容する一方、厚みの無い陳列物２，・・・を、奥浅収容室１１２に収容することで、厚みのある陳列物２，・・・と厚みの無い陳列物２，・・・とを、均等に陳列することができる。
【００７６】
また、売れ行きの良い陳列物２，・・・やシーズンの陳列物２，・・・を、奥深収容室１０３に収容することで、品切れや品薄状態を未然に防止することができる。
【００７７】
また、前記各収容室１０３，・・・、１１２，・・・の前方開口部１０４，・・・、１，・・・に陳列物２，・・・の飛び出しを防止する前壁１０５，・・・、１３２，・・・を設けるとともに、前記各収容室１０３，・・・、１１２，・・・に収容された陳列物２，・・・を前記各付勢部材２０１，・・・、２０２，・・・で前記各前壁１０５，・・・、１３２，・・・へ向けて付勢することによって、前記各収容室１０３，・・・、１１２，・・・から陳列物２，・・・が取り出され、各収容室１０３，・・・、１１２，・・・手前側の陳列物２，・・・が減少した際には、前記各付勢部材２０１，・・・、２０２，・・・によって奥側に収容された陳列物２，・・・を手前側に移動することができる。
【００７８】
これにより、陳列物２，・・・の取り出し容易性を高めるとともに、整然とした陳列状態を維持することができる。
【図面の簡単な説明】
【００７９】
【図１】本考案の一実施の形態を示す斜視図である。
【図２】同実施の形態を示す正面図である。
【図３】図２のＡ−Ａ断面図である。
【図４】同実施の形態の小型付勢部材と大型付勢部材とを示す図である。
【符号の説明】
【００８０】
１    陳列装置
２    陳列物
１２    袋体
２１    下段収容部本体
２２    上段収容部本体
２３    支持軸
１０２    奥行寸法
１０３    奥深収容室
１０５    前壁
１１１    奥行寸法
１１２    奥浅収容室
１２１    周方向
１３２    前壁
２０１    大型付勢部材
２０２    小型付勢部材
【図１】
0003143647.tif 000003
【図２】
0003143647.tif 000004
【図３】
0003143647.tif 000005
【図４】
0003143647.tif 000006